(57)【要約】【課題】屋根の外観性を損なわず、かつ太陽電池の内部に雨水が浸入するおそれがなく、しかも外部配線との接続が簡単に行えよう配線構造を改良した屋根材一体型太陽電池モジュールを提供する。【解決手段】封止材，表面保護材で覆った太陽電池７を、モジュール基台を兼ねた屋根材ブロック８と一体化した上で、屋根材ブロックから太陽電池の出力リード線５，６を引出してモジュールの裏面側に敷設した外部配線３，４に接続するようにした屋根材一体型太陽電池モジュール２で、屋根材ブロックの周縁に形成した縁曲げ係合部８ａ，８ｃを介して隣接する太陽電池モジュール２と連結するようにしたものにおいて、出力リード線５，６を前記の縁曲げ係合部を横切って屋根材ブロックの側方に引出し、隣接モジュールとの連結状態で、縁曲げ係合部の間を通してモジュールの背面側に引出し、外部配線３，４に接続する。【選択図】　　　図１
2004011172.tif 000002
【特許請求の範囲】
【請求項１】
光電変換素子を封止材，表面保護材で封止した太陽電池を、モジュール基台を兼ねた屋根材ブロックの上面に重ねて一体化し、該屋根材ブロックから太陽電池に接続した出力リード線を引き出した屋根材一体型太陽電池モジュールであり、前記屋根材ブロックはその周縁に沿って縁曲げ係合部を形成し、該縁曲げ係合部を介して隣接する太陽電池モジュールの屋根材ブロックと連結するようにしたものにおいて、
各モジュールごとに太陽電池に接続した出力リード線を前記縁曲げ係合部を横切る方向に伝って屋根材ブロックの側方に引出し、隣接する太陽電池モジュールの屋根材ブロックと連結した状態で、互いに重なり合う縁曲げ係合部の間を配線経路として、前記出力リード線の先端をモジュールの背面側に引き出して外部配線に接続するようにしたことを特徴とする屋根材一体型太陽電池モジュール。
【請求項２】
請求項１記載の屋根材一体型太陽電池モジュールにおいて、出力リード線は可撓性のある導電金属板，もしくは金属箔であり、その周面を弾性を有する耐候保護材で被覆したことを特徴とする屋根材一体型太陽電池モジュール。
【請求項３】
光電変換素子を封止材，表面保護材で封止した太陽電池を、モジュール基台を兼ねた屋根材ブロックの上面に重ねて一体化し、該屋根材ブロックから太陽電池に接続した出力リード線を引き出した屋根材一体型太陽電池モジュールであり、前記屋根材ブロックはその周縁に沿って縁曲げ係合部を形成し、該縁曲げ係合部を介して隣接する太陽電池モジュールの屋根材ブロックと連結するようにしたものにおいて、
各モジュールごとに、屋根材ブロックの周縁に形成した縁曲げ係合部に沿いその内側に母配線を敷設して太陽電池から引き出した出力リード線と接続した上で、該母配線の両端を屋根材ブロックのコーナー部に引出し、隣接する太陽電池モジュールとの間で母配線を縦続接続するようにしたことを特徴とする屋根材一体型太陽電池モジュール。
【請求項４】
請求項３記載の屋根材一体型太陽電池モジュールにおいて、母配線を、その配線経路に沿って屋根材ブロックの底面に形成した凹溝内に布設したことを特徴とする屋根材一体型太陽電池モジュール。
【請求項５】
請求項３，または４記載の屋根材一体型太陽電池モジュールにおいて、母配線を、太陽電池，出力リード線と一括して保護材で封止したことを特徴とする屋根一体型太陽電池モジュール。
【請求項６】
請求項３記載の屋根材一体型太陽電池モジュールにおいて、母配線を、屋根材ブロックに対して上下の向きに敷設したことを特徴とする屋根一体型太陽電池モジュール。
【請求項７】
請求項３記載の屋根材一体型太陽電池モジュールにおいて、母配線を、屋根材ブロックに対して左右の向きに敷設したことを特徴とする屋根一体型太陽電池モジュール。
【発明の詳細な説明】
【０００１】
【発明の属する技術分野】
本発明は、住宅の屋根に取付けて太陽エネルギーを電気に変える太陽光発電用の屋根材一体型太陽電池モジュールに関し、詳しくは太陽電池モジュールの発電出力を取り出す配線構造に係わる。
【０００２】
【従来の技術】
近年になり、地球環境の問題からクリーンなエネルギー源として太陽電池が注目されており、住宅の屋根面を利用してここに太陽電池モジュールを設置する太陽光発電装置の導入が国の補助金政策もあって急速に進んでいる。
【０００３】
また、その形態としては既設の屋根の上に架台を設けて太陽電池モジュールを設置する方式も知られているが、最近では美観性，デザイン面から太陽電池モジュール自身に屋根材の機能を持たせて屋根の野地板に直接取付けるようにした屋根材一体型太陽電池モジュールの普及が進んでいる。
【０００４】
この屋根材一体型太陽電池モジュールは、例えばプラスチックフィルム基板にアモルファスシリコン層，集電電極，透明電極などを成層した光電変換素子を封止材，表面保護材で封止してなる太陽電池を、モジュール基台を兼ねた板状の屋根材ブロック（金属瓦板）に重ねて一体化した上で、この屋根材ブロックから太陽電池の出力リード線を引き出した構造になるもので、前記屋根材ブロックには通常の金属瓦板と同様にその周縁に沿って縁曲げ係合部を形成しておき、太陽電池モジュールをアレイ状に並べて屋根に布設する際に、前記縁曲げ係合部を介して隣接する太陽電池モジュールの屋根材ブロックとの間を連結して通常の屋根瓦と同様な雨仕舞の機能を持たせるようにし、さらに各太陽電池モジュールから引き出した太陽電池の出力リード線をケーブルなどの外部配線に接続して屋内に設置したパワーコンディショナー（インバータ装置）に導き、太陽電池で発電した電気（直流）を交流に変換して住宅で使用する負荷への給電，および商用電源との連系を図るようにしている。
【０００５】
次に、住宅の屋根に葺く屋根材一体型太陽電池モジュールの基本的なレイアウトおよびその配線構造を模式図として図１１に示す。図において、１は屋根の野地板、２は屋根一体型太陽電池モジュール、３，４は各太陽電池モジュール１に接続した＋極，−極側の集電用外部配線（ケーブル，あるいは専用の配線ダクトに通した配線した電線）であり、アレイ状に並べて野地板１の表面に布設した多数枚の太陽電池モジュール２の間を縫うように外部配線３，４を引回し配線した上で、この外部配線３，４に各太陽電池モジュール１から引き出した＋極，−極の出力リード線５，６を並列に接続するようにしている。
【０００６】
この場合に、各太陽電池モジュール２に接続した外部配線３，４を屋根の表面側に露呈して引き回し配線すると、外部配線が人目に触れて建屋の美観を損なうおそれがあることから、通常は外部配線３，４が人目に触れないように屋根に葺いた屋根材一体型太陽電池モジュール２の裏面側に敷設した上で、この外部配線３，４に各太陽電池モジュール２から裏面に引き出した出力リード線５，６を接続するようにした配線方式が採用されている。
【０００７】
次に、前記の配線方式に対応する太陽電池モジュール２の従来構造例を図１２（ａ），（ｂ）に示す。図において、７は太陽電池、８は太陽電池７と一体化した屋根材ブロック（モジュール基台を兼ねた金属瓦板）、９はモジュールの端子箱である。ここで、太陽電池７は、光電変換素子７ａの上下両面を封止材（ＥＶＡ（エチレンビニルアセテート））７ｂ，７ｃで封止し、さらに受光面側に透光性の耐候保護材（ＥＴＦＥ（エチレン−四フッ化エチレン樹脂）７ｄを被着した構成になり、この太陽電池７を金属製（あるいは硬質プラスチック製）の屋根材ブロック８の上面に重ねた上で、真空ラミネータなどを使って一体に接合するようにしている。また、屋根材ブロック８には、一般的な金属瓦板と同様にその周縁にコ字形に折り曲げた縁曲げ係合部８ａ〜８ｄが形成されており、この縁曲げ係合部同士を絡ませるように係合させて隣接する太陽電池モジュールの屋根材ブロックと連結し、モジュール間の継ぎ目から雨が裏側に浸入しないように雨仕舞している。なお、８ｅは屋根材ブロック８を屋根の野地板１（図１１参照）に釘止めするために耳部に穿孔した釘穴である。
【０００８】
一方、前記の端子箱９は屋根材ブロック８の背面側の中央に取付けてあり、光電変換素子７ａの出力電極に接続した出力リード線５，６を屋根材ブロック８の底面に穿孔した貫通穴を通して端子箱９に引出し、ここでケーブル１０，１１に接続して外部配線と接続するようにしている。なお、１０ａ，１１ａは図１１に示した外部配線３，４に接続するための接続端子、１２は端子箱９に充填して屋根材ブロック８に穿孔したリード線通し穴に外部から雨水が浸入するのを防止する封止樹脂である。
【０００９】
【発明が解決しようとする課題】
図１２（ａ），（ｂ）に示した従来構造の太陽電池モジュール２は、太陽電池７の出力リード線５，６をモジュールの背面側に引き出して外部配線と接続するようにしているので、太陽電池モジュールを屋根に葺いた施工後の状態で配線部材が人目に触れることがないが、耐候性，信頼性の面で次記のような問題点が残る。
【００１０】
すなわち、端子箱９を屋根部材ブロック８の背面に設置していることから、出力リード線５，６を端子箱９に引き出すには、屋根材ブロック８の底面に貫通穴を開けてここにリード線を通す必要がある。したがって、このままでは前記穴を通じて外部から回り込んだ雨水が浸入し、出力リード線５，６を伝って太陽電池７の内部に浸透するおそれがある。そこで、従来構造では図示のように端子箱９に封止樹脂１２を充填して太陽電池７への水の浸入を防ぐように措置を施している。
【００１１】
しかしながら、太陽電池モジュールを１０〜２０年に亘る中長期的に使用すると、端子箱９に充填した封止樹脂１２の経年劣化，気温の変化に伴うヒートサイクルなどによりその封止機能が低下することが避けられない。このために、端子箱９，屋根材ブロック８の底面に穿孔したリード線通し穴を通じて外部から浸入した雨水が太陽電池７の内部に浸透して光電変換素子７ａを構成している材料を腐食し、これにより絶縁抵抗の低下，剥離，あるいはクラックが発生して発電性能を低下させるような不具合が生じる。
【００１２】
なお、長期間に亘る太陽電池モジュールの数多い運転実績の中で、その発電性能低下の原因について調査した結果からも、端子箱からの水浸透に起因するトラブル例が一番多いことが確認されている。
【００１３】
本発明は上記の点に鑑みなされたものであり、屋根に布設した施工後の外観性を損なうおそれがなく、かつ中長期的な使用でも太陽電池の内部に雨水が浸入するおそれがなく、しかも屋根に布設する際の配線の施工が簡単に行えるように配線構造を改良した信頼性の高い屋根材一体型太陽電池モジュールを提供することを目的とする。
【００１４】
【課題を解決するための手段】
上記目的を達成するために、本発明によれば、光電変換素子を封止材，表面保護材で封止した太陽電池を、モジュール基台を兼ねた板状の屋根材ブロックの上面に重ねて一体化し、該屋根材ブロックから太陽電池に接続した出力リード線を引き出した屋根材一体型太陽電池モジュールであり、前記屋根材ブロックはその周縁に沿って縁曲げ係合部を形成し、該縁曲げ係合部を介して隣接する太陽電池モジュールの屋根材ブロックと連結するようにしたものにおいて、
第１の発明では、各モジュールごとに、太陽電池に接続した出力リード線を前記縁曲げ係合部を横切る方向に伝って屋根材ブロックの側方に引出し、隣接する太陽電池モジュールの屋根材ブロックと連結した状態で、互いに重なり合う縁曲げ係合部の間を配線経路として、出力リード線の先端をモジュールの背面側に引き出した上で、ここに配線した外部配線と接続するよう構成する（請求項１）。
【００１５】
上記の構成によれば、屋根材ブロック自身にリード線を引き出す貫通穴を穿孔することなしに、太陽電池の出力リード線を隣接する太陽電池モジュールとの連結状態で重なり合う縁曲げ係合部の間を通して屋根材ブロックの背面側に引出し、この位置でモジュールの背面側に敷設した外部配線と接続することできる。これにより、太陽電池モジュールの出力リード線，および各モジュール間を縫って屋根に敷設した外部配線が、モジュール受光面側に露呈して美観を損ねることがなく、しかも屋根材ブロックには出力リード線を通す貫通穴がないので、従来構造のように貫通穴を通して外部から雨水が太陽電池の内部に浸透するおそれもなくなって太陽電池モジュールの信頼性が向上する。
【００１６】
さらに、前記構成の実施態様として、出力リード線を可撓性のある導電金属板，もしくは金属箔とし、その周面を弾性を有する耐候保護材で被覆する（請求項２）ことにより、隣接する太陽電池モジュールの屋根材ブロックと連結する際の施工で、縁曲げ係合部同士を重ねて加圧密着させても、出力リード線に被覆した弾性保護材によって連結部の雨仕舞機能，および高い耐候性を確保することかできる。
【００１７】
また、第２の発明では、各モジュールごとに、屋根材ブロックの周縁に形成した縁曲げ係合部に沿ってその内側に母配線を布設し、この母配線に太陽電池から引き出した出力リード線を接続した上で、母配線の両端を屋根材ブロックのコーナー部に引き出しておき、隣接する太陽電池モジュールの屋根材ブロックと連結する際に各モジュールから引き出した母配線同士を縦続（カスケード）接続するようにする（請求項３）。
【００１８】
この構成によれば、第１の発明と同様に屋根材ブロックに太陽電池の出力リード線を通す穴がないので美観性，信頼性を確保できるほか、太陽電池モジュールを屋根に葺く現場での施工時に、アレイ状に並べた太陽電池モジュールとの間を連結する際に、各モジュールごとに屋根材ブロックの内側にあらかじめ組み込んでおいた母配線の接続端子（コネクタ）の間を順に縦続接続することにより、別な外部配線を使わずに太陽電池モジュールの一列分の外部配線が済むことになり、施工現場で行う外部配線の作業が簡単に行える。
【００１９】
また、前記した第２の発明の実施態様として、次記のような構成がある。
【００２０】
（１）太陽電池モジュールごとに、母配線をその配線経路に沿って屋根材ブロックの底面に形成した凹溝に布設する（請求項４）。この構成により、母配線と屋根材ブロックに搭載した太陽電池との間に高さ方向の組立段差を確保し、モジュール組立工程で太陽電池本体から側方に引き出した出力リード線を母配線の導体上面に重ね合わせて簡単に接続（はんだ付）することができる。
【００２１】
（２）　前記の母配線を太陽電池，出力リード線と一括して保護材で封止する（請求項５）。この構成により、製作時にはこれら各部材を同じ工程で一体化して屋根材ブロックに搭載，接合できるとともに、母配線の高い絶縁性，耐候性も確保できる。
【００２２】
（３）さらに、前記の母配線を、屋根材ブロックに対して上下の向きに敷設する（請求項６）、あるいは屋根材ブロックに対して左右の向きに敷設する（請求項７）。
【００２３】
このように、屋根材一体型太陽電池モジュールに内蔵した母配線の敷設の向きを、縦向きあるいは横向きにした２種類のタイプのモジュールを用意しておくことにより、住宅屋根の形，屋根に葺くモジュールの基数，およびその配列パターンなど、現場の状況に応じて外部配線の施工に有利なタイプのモジュールを選択できる。
【００２４】
【発明の実施の形態】
以下、本発明の実施の形態を図１〜図１０に示す図示実施例に基づいて説明する。なお、図示の各実施例において図１１，図１２に対応する同一部材には同じ符号を付してその詳細な説明は省略する。
【００２５】
〔実施例１〕
まず、本発明の請求項１，２に対応する実施例を図１〜図４で説明する。この実施例においては、図１（ａ），（ｂ）で示すように、太陽電池７と一体化した屋根材ブロック（金属瓦板）８にはその左右側縁を裏側へ折り曲げたコ字形の縁曲げ係合部８ａ，８ｃが形成されており、太陽電池モジュール２を屋根に葺く際に、隣接する太陽電池ブロック２の屋根材ブロック８との間で前記縁曲げ係合部８ａと８ｃを絡ませて連結するようにしている。
【００２６】
また、太陽電池７からは、図３のように＋極，−極の出力リード線５，６を側方に引き出しておく。この出力リード線５，６には厚さ０．４ｍｍ程度の可撓性のある薄い銅板，あるいは銅箔を採用し、その周面を例えばＰＥＴ（ポリエチレンテレフタレート）で絶縁保護した上で、一端を太陽電池７の出力電極に接合する。また、太陽電池７を屋根材ブロック８の上面に重ねて一体化したモジュールの組立状態で、太陽電池７から引き出した出力リード線５，６を前記した縁曲げ係合部８ａの内面に添わせるように折り曲げて、係合部を横切る方向からモジュールの側方に引き出しておく。
【００２７】
そして、隣接する太陽電池モジュール２と連結する際には、図１（ｂ）で表すように縁曲げ係合部８ａとこれに係合する隣接モジュールの縁曲げ係合部８ｃとの間の重なり面を配線経路として、出力リード線５，６を縁曲げ係合部８ａと８ｃの間に挟み込んで隣接する太陽電池モジュール２の裏面側に引き出す。
【００２８】
一方、多数枚の太陽電池モジュール２をアレイ状に並べて屋根に葺く際には、図４で示すように太陽電池モジュール２の配列に合わせて野地板１の上に集電用の外部配線３，４をあらかじめ配線しておき、前記のように隣接モジュールとの連結状態で裏面側に引き出した出力リード線５，６をその極性（＋，−）に対応する外部配線３，４に接続する。
【００２９】
この配線構造によれば、太陽電池モジュール２の屋根材ブロック８に対して、従来構造（図１２参照）のようにリード線引出し穴を穿孔することなく、隣接モジュールとの間の連結部で縁曲げ係合部８ａと８ｃの間を通して出力リード線５，６をモジュールの背面側に引き出した上で、前記の外部配線３，４と接続することができる。しかも、モジュールの連結状態では、図示のように縁曲げ係合部８ａと８ｃとが絡み合って密着状態に係合し、その間に挟み込んだ出力リード線５，６の配線経路が迷路状となるので雨仕舞機能を損なうことがない。
【００３０】
なお、屋根葺き施工に際しては、隣接するモジュールとの間の継ぎ目から雨水が浸入するのを確実に防ぐために、縁曲げ係合部８ａと８ｃを結合した状態でその連結部に強く締めつけて密着させるようにしており、このために出力リード線５，６が強く圧迫されることになる。
【００３１】
そこで、このような状況でも長期間安定した耐候性と信頼性を確保させるために、図２に示す実施例では、隣接するモジュールの間で縁曲げ係合部８ａと８ｃの間を通じて裏面側に引き出した出力リード線５，６を挟んで、その上下両面に高い耐候性と弾性を有するシリコーンゴム１３を保護材として被覆している。これにより、縁曲げ係合部８ａと８ｃとの連結部を強く締めつけても、シリコーンゴム１３の弾性により、モジュール間の継ぎ目の雨仕舞機能が劣化するおそれがなく、長期間に亘り高い耐候性と信頼性を確保できる。
【００３２】
〔実施例２〕
次に、本発明の請求項３〜６に対応する実施例を図５〜図１０で説明する。この実施例においては、図１２に示した従来の太陽電池モジュールと比べて、次記のよう母配線を組み込んだ構成になる。
【００３３】
すなわち、図５〜図７で示すように、屋根材ブロック８の底面には、その一方（左側）の側縁に形成した縁曲げ係合部８ａに沿ってその内側に凹溝部８ｆが形成されており、この凹溝部８ｆに＋極，−極に対応する２本の導体１４ａと１４ｂを対にした母配線１４を敷設した上で、その両端を屋根材ブロック８の上下コーナー部に引き出してここに接続端子（コネクタ）１５を取付けている。さらに、この屋根材ブロック８の上に載置した太陽電池７から側方に引き出した出力リード線５，６を、その極性を合わせて前記導体１４ａ，１４ｂに接続する。
【００３４】
この場合に、図６，図７で示すように太陽電池７の光電変換素子７ａの出力端子から側方に引き出した出力リード線（銅箔）５，６はその先端部を、一段低い位置に敷設されている母配線１４の導体１４ａ，１４ｂの上面に重ね合わせ接合する。なお、図７において、出力リード線６と交差する異極の導体１４ａにはその上面に絶縁フィルム１６は挟んで絶縁するようにしている。さらに、この実施例では、後記のように太陽電池７の組立工程で母配線１４および出力リード線５，６を一括して太陽電池の封止材７ｂで封止するようにしている。
【００３５】
そして、図４で述べたように多数枚の太陽電池モジュール２をアレイ状に配列して屋根に布設する際には、上下列に並ぶモジュールの間で各太陽電池モジュール２ごとにその屋根材ブロック８のコーナー部に引き出した前記母配線１４の接続端子（コネクタ）１５を、隣接するモジュールに内装した母配線の接続端子に差し込んで縦続接続する。これにより、上下一列に並ぶモジュールの間で母配線１４同士が直列に連なって外部配線を構成する。したがって、施工の際に別な外部配線を敷設し、かつ上下一列に並ぶモジュールの間でその出力リード線と接続する面倒な手間が必要なく、現場での配線作業を大幅に簡略化できる。しかも、これら配線部材は全て太陽電池モジュール２の内部に納まっていて屋根の表面側に露呈することがないので、美観性と耐候性が確保できる。
【００３６】
次に、発明者等が製作した屋根材一体型太陽電池モジュール２の製造手順について述べる。まず、厚さ０．４ｍｍのガルバリウム鋼板を用意し、屋根材ブロック８に対応した所定サイズに裁断し、次にモジュールに内蔵する母配線１４の配線経路に沿って深さ１．５ｍｍの凹溝部８ｆを加工した。その後に太陽電池７の封止材７ｂとして厚さ０．６ｍｍのＥＶＡ（エチレンビニルアセテート）のシートを鋼板の上に重ね、続いて母配線１４の導体１４ａ，１４ｂとしてはんだ処理した厚さ０．２ｍｍの銅製の平板を配置し、両面テープでＥＶＡの上に仮止めした。次に、所定サイズに裁断したフィルム型太陽電池の出力電極に厚さ０．１ｍｍの銅箔で作った出力リード線５，６をはんだ付けしたものをＥＶＡの上に重ね、出力リード線５，６の先端と先に敷設した母配線１４との間をはんだ付した。なお、図７に示した絶縁フィルム１６として、厚さ０．５ｍｍのカプトンシートを使用した。その後に、前記のＥＶＡとは別にもう一枚のＥＶＡを重ね、さらにその上に表面保護材７ｄとして厚さ０．０２５ｍｍのＥＴＦＥ（エチレン−四フッ化エチレン樹脂）のシートを重ねた。
【００３７】
その後に、前記の仮組立体を真空ラミネータで約４０分加熱処理し、太陽電池７，屋根材ブロック８の鋼板，および母配線１４の間を結合して一体化した後、鋼板の周縁を板金加工して縁曲げ係合部８ａ〜８ｄを形成し、最後に屋根材ブロック８のコーナー部に引き出した母配線１４の両端に接続端子１５として差込み式コネクタを取付けて屋根材一体型太陽電池モジュールを完成した。
【００３８】
次に、前記した屋根材一体型太陽電池モジュール２の配線構造の一部を変更した応用実施例を図８，図９に示す。この実施例では、母配線１４として２本の導体（芯線）１４ａ，１４ｂを絶縁物のＰＥＴ樹脂１４ｃで被覆した２芯フラットケーブルを使用し、出力リード５，６と接続する箇所で芯線に被覆した絶縁被覆を除去した上ではんだ１７で接合するようにしている。
【００３９】
〔実施例３〕
図１０は本発明の請求項７に対応する実施例を示すものである。すなわち、図５に示した先記の実施例では、母配線１４を屋根材ブロック８の左側縁の縁曲げ係合部８ａに沿って上下方向に敷設しのに対して、この実施例では母配線１４を屋根材ブロック８の上縁側に形成した縁曲げ係合部８ｂに沿ってその内側に敷設し、その両端を屋根材ブロック８の左右両端のコーナー部に引き出した上で、母配線１４と太陽電池７から引き出した出力リード線５，６と接続している。
【００４０】
この構成によれば、図４のように多数枚の太陽電池モジュール２を縦横に並べて屋根に布設した状態で、横一列に並ぶモジュールの間を前記の母配線１４により接続して外部配線することができる。
【００４１】
このように、屋根材一体型太陽電池モジュール２に内装した母配線１４の敷設の向きを、図４の縦向き，あるいは図１０の横向きにした２種類のタイプの屋根材一体型太陽電池モジュールを用意しておくことにより、太陽電池モジュールを設置する屋根の形，モジュールの基数，およびその配列パターンなど、施工現場の状況に応じて外部配線の施工がし易いタイプのモジュールを選択することかできる。
【００４２】
【発明の効果】
以上述べたように、本発明によれば次記の効果を奏する。
【００４３】
（１）請求項１の第１の発明によれば、屋根材ブロック自身にリード線を引き出す貫通穴を穿孔することなしに、太陽電池の出力リード線を隣接する太陽電池モジュールとの連結状態で、縁曲げ係合部の間を通して屋根材ブロックの背面側に引出し、この位置でモジュールの背面側に別途敷設した外部配線と接続することできる。これにより、太陽電池モジュールの出力リード線，および各モジュール間を縫って屋根に敷設した外部配線が、モジュール受光面側に露呈して美観を損ねることがなく、しかも屋根材ブロックには出力リード線を通す貫通穴がないので、従来構造のように貫通穴を通して外部から雨水が太陽電池の内部に浸透するおそれもなくなって太陽電池モジュールの信頼性が向上する。
【００４４】
（２）請求項３の第２の発明によれば、前記した第１の発明と同様に屋根材ブロックに太陽電池の出力リード線を通す穴がないので美観性，信頼性を確保できるほか、太陽電池モジュールを屋根に葺く施工時に、アレイ状に並べた太陽電池モジュールとの間を連結する際に、各モジュールごとに屋根材ブロックにあらかじめ組み込んでおいた母配線の間を順に接続することにより、別な外部配線を使わずに太陽電池モジュールの一列分を相互接続することができ、これにより施工現場で行う外部配線の作業を大幅な簡略化できる。
【００４５】
（３）さらに、第２の発明について、屋根材一体型太陽電池モジュールに内蔵した母配線の配置の向きを、請求項６の縦向き，請求項７の横向きに定めた２種類のタイプのモジュールを用意しておくことにより、太陽電池モジュールを設置する屋根の形，モジュールの数，およびその配列パターンなど、現場の状況に応じて外部配線のし易いタイプのモジュールを選択することか可能となる。
【図面の簡単な説明】
【図１】本発明の実施例１に対応する屋根材一体型太陽電池モジュールの配線構造図であり、（ａ）は隣接するモジュールと連結した状態の斜視図、（ｂ）は（ａ）の矢視Ａ−Ａの拡大断面図
【図２】図１（ｂ）と異なる実施例の拡大断面図
【図３】屋根材一体型太陽電池モジュールの模式的な平面図
【図４】図３の太陽電池モジュールを屋根に布設した配列パターン，および外部配線との接続を模式的に表した図
【図５】本発明の実施例２に対応する屋根材一体型太陽電池モジュールの構成図であり、（ａ）は平面図、（ｂ）は（ａ）の矢視Ｂ−Ｂ断面図
【図６】図５（ａ）における矢視Ｃ−Ｃの拡大断面図
【図７】図５（ａ）における矢視Ｄ−Ｄの拡大断面図
【図８】図６と異なる実施例の断面図
【図９】図７と異なる実施例の断面図
【図１０】本発明の実施例３に対応する屋根材一体型太陽電池モジュールの構成図であり、（ａ）は平面図、（ｂ）は（ａ）の矢視Ｅ−Ｅ断面図
【図１１】屋根に布設した屋根材一体型太陽電池モジュールの基本的な配列パターン，および外部配線と各モジュールとを接続関係を表す配線図
【図１２】従来における屋根材一体型太陽電池モジュールの構成図であり、（ａ）はモジュール全体の平面図、（ｂ）は（ａ）における矢視Ｐ部の拡大断面図
【符号の説明】
１　　屋根の野地板
２　　屋根材一体型太陽電池モジュール
３，４　外部配線
５，６　太陽電池の出力リード線
７　　太陽電池
７ａ　光電変換素子
７ｂ，７ｃ　封止材
７ｄ　表面保護材
８　　屋根材ブロック
８ａ〜８ｄ　縁曲げ係合部
８ｆ　凹溝部
１４　　母配線
１４ａ，１４ｂ　母配線の導体
１５　　接続端子
【図１】
2004011172.tif 000003
【図２】
2004011172.tif 000004
【図３】
2004011172.tif 000005
【図４】
2004011172.tif 000006
【図５】
2004011172.tif 000007
【図６】
2004011172.tif 000008
【図７】
2004011172.tif 000009
【図８】
2004011172.tif 000010
【図９】
2004011172.tif 000011
【図１０】
2004011172.tif 000012
【図１１】
2004011172.tif 000013
【図１２】
2004011172.tif 000014